(57)【要約】【課題】  複数のガラス板が搬送パレットに縦置きで積層された場合でも、積層ガラス板の中央近傍に撓みを生じさせず、移動時にもガラス板同士の滑動を生じさせない操作性に優れたガラス板搬送パレットを提供すること。【解決手段】  ガラス板１７を縦置きに積層支持するパレット本体１ａは、ガラス板１７を支持する載置台２および背面支持体３とで構成され、該背面支持体３の上下には他端を回動自在に支持された第１および第２支持アーム９，２０が配設され、該両支持アーム９，２０の一端を連結リンク２３で回動自在に連結し、該第２支持アーム２０には一端側に延びる操作ハンドル２２が設けられ、前記第１支持アーム９と前記連結リンク２３との連結位置近傍には、ガラス板１７の左右の長さ方向に延びて積層されたガラス板１７の最前面中央部近傍で当接することで、積層されたガラス体１７の移動を阻止するセンターバー１０が設けられている。【選択図】  図３
2007045469.tif 000002
【特許請求の範囲】
【請求項１】
ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、かつ前記第１支持アームと前記連結リンクとの連結位置近傍には、前記ガラス板の左右の長さ方向に延び、積層支持したガラス板の最前列ガラス板の前面中央部近傍で当接することで積層支持したガラス板の移動を阻止するセンターバーが設けられていることを特徴とするガラス板搬送パレット。
【請求項２】
ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板はケースボックス内に収納され、かつ前記第１支持アームと前記連結リンクとの連結部近傍には、前記ケースボックスの左右の長さ方向に延び、該ケースボックスの前面中央部近傍で当接することで積層支持したガラス板の移動を阻止するセンターバーが設けられていることを特徴とするガラス板搬送パレット。
【請求項３】
ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板は前面、側面および上面がガラスカバー体で覆われ、前記第１支持アームと前記連結リンクとの連結部近傍には、該ガラスカバー体の左右の長さ方向に延び、該ガラスカバー体の前面中央部近傍で当接することで積層支持したガラス板の移動を阻止するセンターバーが設けられていることを特徴とするガラス板搬送パレット。
【請求項４】
ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板はケースボックス内に収納され、該ケースボックスは前面、側面および上面がガラスカバー体で覆われ、前記第１支持アームと前記連結リンクとの連結部近傍には、該ガラスカバー体の左右の長さ方向に延び、該ガラスカバー体の前面中央部近傍で当接することで積層支持したガラス板の移動を阻止するセンターバーが設けられていることを特徴とするガラス板搬送パレット。
【請求項５】
前記連結リンクを一端側で支持する前記第１支持アームおよび第２支持アームは、前記背面支持体の左右両側に配設され、前記左右の第１支持アームの前記連結位置近傍にて前記センターバーの左右端が連接され、かつ該左右の第１支持アームの他端が回動軸に支持されている請求項１乃至４のいずれかに記載のガラス板搬送パレット。
【請求項６】
前記回動軸には前記センターバーがガラス板の前面側から背面支持体の上方側へ揺動するときは助勢し、前記背面支持体の上方側からガラス板の前面側へ揺動するときは抵抗を与えるダンパー機構が付設されている請求項５に記載のガラス板搬送パレット。
【請求項７】
前記第１支持アーム、前記第２支持アームの少なくとの一方は伸縮自在に構成されている請求項１乃至６のいずれかに記載のガラス板搬送パレット。
【請求項８】
前記載置台と、前記背面支持体のガラス板またはケースボックスと当接する部分には緩衝材が設けられている請求項１乃至７のいずれかに記載のガラス板搬送パレット。
【請求項９】
前記ガラスカバー体のガラス板またはケースボックスと当接する部分には緩衝材が設けられている請求項３乃至７のいずれかに記載のガラス板搬送パレット。
【請求項１０】
前記パレット本体には複数のキャスタが設けられている請求項１乃至９のいずれかに記載のガラス板搬送パレット。
【請求項１１】
前記第２支持アームには、前記センターバーが前記背面支持体の上方位置に揺動された際に、その揺動位置を保持するロック機構が設けられている請求項１乃至１０のいずれかに記載のガラス板搬送パレット。
【発明の詳細な説明】
【技術分野】
【０００１】
本発明は、ガラス板をパレット本体に縦置きに複数枚積層支持させて搬送するガラス板搬送パレットに関する。
【背景技術】
【０００２】
従来、金属板を横置きに複数枚積層して搬送する搬送パレットが知られており、この種の搬送パレットは、パレット基板の幅方向両端部に複数の支柱を立設し、支柱に設けた切り欠きに嵌合した拘束板をパレット基板上に積載した複数の金属板に載せることにより、複数の金属板の揺れによる金属板の滑動を防止している。（例えば、特許文献１参照）。
【０００３】
【特許文献１】特開平９−３０５２６号公報（段落００１０、００１１及び図２、４参照）
【発明の開示】
【発明が解決しようとする課題】
【０００４】
しかしながら、特許文献１にあっては、積載荷重に耐えることができる金属板の場合には便利であるが、被搬送体が薄くて大きなガラス板である場合には、積載重量が下のガラス体に加わるので破損しやすく、積載量に制限があった。そこで、パレット基板上に多くのガラス板を積載するためにはガラス板に積載荷重が掛からないように縦置きにする方法が一般的であり、荷崩れ防止のためには積層ガラス体に対して縦横にラッシングベルト等を巻き付けて固定する方法が採られていた。しかしながら、ガラス板を縦置きにした場合には、ガラス板の自重により中央部が撓みやすくきつく縛ってもラッシングベルト等が緩み、搬送中にガラス板同士が滑動して位置ずれを起こし破損する恐れがあった。
【０００５】
本発明は、このような問題点に着目してなされたもので、複数のガラス板が搬送パレットに縦置きで積層された場合でも、これらガラス板の中央近傍に撓みを生じさせることなく、移動においてもガラス板同士の滑動を生じさせることのない操作性に優れたガラス板搬送パレットを提供することを目的とする。
【課題を解決するための手段】
【０００６】
上記課題を解決するために、本発明の請求項１に記載のガラス板搬送パレットは、ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、かつ前記第１支持アームと前記連結リンクとの連結位置近傍には、前記ガラス板の左右の長さ方向に延び、積層支持したガラス板の最前列ガラス板の前面中央部近傍で当接することで積層支持したガラス板の移動を阻止するセンターバーが設けられていることを特徴としている。
この特徴によれば、第１支持アームよりも下方に配設された第２支持アームに操作ハンドルが設けられたことで操作ハンドルの操作がし易く、センターバーの上げ下ろしを容易かつ円滑に行うことができる。また、背面支持体に積層支持されたガラス板の中央部近傍における撓みをセンターバーで抑えることができるので、ガラス板搬送パレットの移送中であっても積層支持したガラス板の移動を確実に阻止してガラス板の破損を未然に防止することができる。また、操作ハンドルによるセンターバーの解放に伴って、第１支持アームが立ち上がるので操作力が軽減されて解放操作が楽になると共に、ガラス板の積層枚数が増減しても、第１支持アームや第２支持アームの揺動半径を変えることで容易に対応できる。
【０００７】
上記課題を解決するために、本発明の請求項２に記載のガラス板搬送パレットは、ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板はケースボックス内に収納され、かつ前記第１支持アームと前記連結リンクとの連結部近傍には、前記ケースボックスの左右の長さ方向に延び、該ケースボックスの前面中央部近傍で当接することで積層支持したガラス板の移動を阻止するセンターバーが設けられていることを特徴としている。
この特徴によれば、第１支持アームよりも下方に配設された第２支持アームに操作ハンドルが設けられたことで操作ハンドルの操作がし易く、センターバーの上げ下ろしを容易かつ円滑に行うことができる。背面支持体に積層支持されたガラス板がケースボックス内に収納されているので、ケースボックスを搬送パレットから卸したときもケースボックス内のガラス板を常にクリーンな状態に保つことができる。また、センターバーがケースボックスの長さ方向に延びてその前面中央部近傍で当接しているので、ガラス板搬送パレットの移送中であってもケースボックスの移動を阻止することができる。また、操作ハンドルによるセンターバーの解放に伴って、第１支持アームが立ち上がるので操作力が軽減されて解放操作が楽になると共に、ケースボックスの数が増減しても、第１支持アームや第２支持アームの揺動半径を変えることで容易に対応できる。
【０００８】
上記課題を解決するために、本発明の請求項３に記載のガラス板搬送パレットは、ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板は前面、側面および上面がガラスカバー体で覆われ、前記第１支持アームと前記連結リンクとの連結部近傍には、該ガラスカバー体の左右の長さ方向に延び、該ガラスカバー体の前面中央部近傍で当接することで積層支持したガラス板の移動を阻止するセンターバーが設けられていることを特徴としている。
この特徴によれば、第１支持アームよりも下方に配設された第２支持アームに操作ハンドルが設けられたことで操作ハンドルの操作がし易く、センターバーの上げ下ろしを容易かつ円滑に行うことができる。背面支持体に積層支持されたガラス板がガラスカバー体で覆われているのでガラス板をクリーンな状態に保つことができ、積層支持したガラス板の中央部近傍における撓みもガラスカバー体で抑えることができる。また、センターバーがガラスカバー体の長さ方向に延びてその前面中央部近傍で当接しているので、搬送パレットの移送中であってもガラスカバー体を介して積層支持したガラス板の移動を確実に阻止することができる。また、操作ハンドルによるセンターバーの解放に伴って、第１支持アームが立ち上がるので操作力が軽減されて解放操作が楽になると共に、ガラス板の積層枚数が増減によりガラスカバー体の厚みに変更が生じても、第１支持アームや第２支持アームの揺動半径を変えることで容易に対応できる。
【０００９】
上記課題を解決するために、本発明の請求項４に記載のガラス板搬送パレットは、ガラス板をパレット本体に縦置きに複数枚積層支持させて搬送するガラス板搬送パレットであって、前記パレット本体は、ガラス板の底部を支持する載置台と、ガラス板の背面を傾斜支持する背面支持体とで構成され、該背面支持体の上下には、他端を回動自在に支持された上方の第１支持アームおよび下方の第２支持アームが配設され、該両支持アームの一端を互いに連結リンクで回動自在に連結すると共に、該第２支持アームには一端側に延びる操作ハンドルが設けられ、前記積層支持したガラス板はケースボックス内に収納され、該ケースボックスは前面、側面および上面がガラスカバー体で覆われ、前記第１支持アームと前記連結リンクとの連結部近傍には、該ガラスカバー体の左右の長さ方向に延び、該ガラスカバー体の前面中央部近傍で当接することで積層支持したガラス板の移動を阻止するセンターバーが設けられていることを特徴としている。
この特徴によれば、第１支持アームよりも下方に配設された第２支持アームに操作ハンドルが設けられたことで操作ハンドルの操作がし易く、センターバーの上げ下ろしを容易かつ円滑に行うことができる。背面支持体に積層支持されたガラス板がケースボックス内に収納され、更に、このケースボックスがガラスカバー体で覆われているので、ケースボックスを搬送パレットから卸したときもケースボックスをクリーンな状態に保つことができる。また、センターバーがガラスカバー体の長さ方向に延びてその前面中央部近傍で当接しているので、搬送パレットの移送中であってもガラスカバー体を介してケースボックスの移動を確実に阻止することができる。また、操作ハンドルによるセンターバーの解放に伴って、第１支持アームが立ち上がるので操作力が軽減されて解放操作が楽になると共に、ケースボックスの数の増減によりガラスカバー体の厚みに変更が生じても、第１支持アームや第２支持アームの揺動半径を変えることで容易に対応できる。
【００１０】
本発明の請求項５に記載のガラス板搬送パレットは、請求項１乃至４のいずれかに記載のガラス板搬送パレットであって、前記連結リンクを一端側で支持する前記第１支持アームおよび第２支持アームは、前記背面支持体の左右両側に配設され、前記左右の第１支持アームの前記連結位置近傍にて前記センターバーの左右端が連接され、かつ該左右の第１支持アームの他端が回動軸に支持されていることを特徴としている。
この特徴によれば、左右の第１支持アームの前記連結リンクとの連結位置近傍にて前記センターバーの左右端が連接され、左右の第１支持アームの他端が回動軸に支持されているので、操作ハンドルによりセンターバーをガラス板の前面側と背面支持体の上方側との間で容易に且つ均等に揺動移動させることができる。
【００１１】
本発明の請求項６に記載のガラス板搬送パレットは、請求項５に記載のガラス板搬送パレットであって、前記回動軸には前記センターバーがガラス板の前面側から背面支持体の上方側へ揺動するときは助勢し、前記背面支持体の上方側からガラス板の前面側へ揺動するときは抵抗を与えるダンパー機構が付設されていることを特徴としている。
この特徴によれば、ダンパー機構によって、センターバーをガラス板の前面側から解放操作するときは助勢されるので操作が軽く行え、センターバーをガラス板の前面側に向けて押圧するときは勢いよく当接しないので安全である。
【００１２】
本発明の請求項７に記載のガラス板搬送パレットは、請求項１乃至６のいずれかに記載のガラス板搬送パレットであって、前記第１支持アーム、前記第２支持アームの少なくとの一方は伸縮自在に構成されていることを特徴としている。
この特徴によれば、第１支持アーム、前記第２支持アームの少なくとの一方が伸縮自在に構成されているので、積載されるガラス板の枚数あるいはケースボックスの数量およびガラスカバー体の厚みに応じて、支持アームを伸縮させてセンターバーの揺動半径を変えることができる。
【００１３】
本発明の請求項８に記載のガラス板搬送パレットは、請求項１乃至７のいずれかに記載のガラス板搬送パレットであって、前記載置台と、前記背面支持体のガラス板またはケースボックスと当接する部分には緩衝材が設けられていることを特徴としている。
この特徴によれば、緩衝材によりガラス板またはケースボックスを搬送パレットに載置する作業中、および搬送パレットの移動時にガラス板が損傷することを防止できる。
【００１４】
本発明の請求項９に記載のガラス板搬送パレットは、請求項３乃至７のいずれかに記載のガラス板搬送パレットであって、前記ガラスカバー体のガラス板またはケースボックスと当接する部分には緩衝材が設けられていることを特徴としている。
この特徴によれば、ガラス板搬送パレットの移送時にガラスカバー体がガラス板またはケースボックスと当接しても、緩衝材によって衝撃を和らげガラス板が損傷することを防止できる。
【００１５】
本発明の請求項１０に記載のガラス板搬送パレットは、請求項１乃至９のいずれかに記載のガラス板搬送パレットであって、前記パレット本体には複数のキャスタが設けられていることを特徴としている。
この特徴によれば、ガラス板搬送パレットを床面に沿って自由な方向に移動させることができるとともに、複数のキャスタによりガラス板に極力振動を与えずに移動が行える。
【００１６】
本発明の請求項１１に記載のガラス板搬送パレットは、請求項１乃至１０のいずれかに記載のガラス板搬送パレットであって、前記第２支持アームには、前記センターバーが前記背面支持体の上方位置に揺動された際に、その揺動位置を保持するロック機構が設けられていることを特徴としている。
この特徴によれば、センターバーが背面支持体の上方位置に揺動された状態でその揺動位置を保持することができるので、センターバーが勝手に背面支持体に載置されたガラス板の前面に向けて移動されることが確実に防止され、ガラス板の破損を未然に防止することができる。
【発明を実施するための最良の形態】
【００１７】
本発明の実施例を以下に説明する。
【実施例１】
【００１８】
図１は、本発明の実施例１におけるガラス板搬送パレットの正面側構造を示す斜視図であり、図２は、ガラス板搬送パレットの背面側構造を示す斜視図であり、図３は、ガラス板搬送パレットの側面構造を示す一部破断側面図で、（ａ）はガラスカバー体で覆われたガラス板が複数収納されたケースボックスをセンターバーから解放した状態を示す側面図であり、（ｂ）は、センターバーを下方に移動させ、ガラスカバー体を介してケースボックスをセンターバーで保持した状態を示す側面図である。図４（ａ）（ｂ）および図５は、実施例１におけるガラス板搬送パレットの変形例を示す側面図である。
【００１９】
このガラス板搬送パレット（以下、搬送パレット１）は、ガラス板を複数枚縦置きに積層させて搬送可能になっており、ガラス板の運搬及び移動用に使用される台車として利用されている。そこで、本発明の実施例１を図面に基づいて説明すると、図１，図２に示されるように、搬送パレット１は、主にガラス板を支持するパレット本体１ａとガラス板を保持するセンターバー１０を支持した第１支持アーム９とから構成されている。以下、実施例１の説明において、図１のセンターバー１０が卸された位置を正面に見て、センターバー１０がある側を搬送パレット１の前方とし、反対側を後方とし、搬送パレット１の両側方向を左右方向として説明する。
【００２０】
パレット本体１ａは、ガラス板の底部を支持する載置台２と、ガラス板の背面を支持する背面支持材３、載置台２の後方位置より立設された支注５、この支柱５を補強する補強材１５、背面支持材３と支注５を連結する上段枠材４ａ，中段枠材４ｂ，下段枠材４ｃとから成る背面支持体と、これら載置台２，背面支持体を支持する下部底台１９と、からなる金属枠材で構成されている。
【００２１】
図２に示されるように、上段枠材４ａの下部にはアーム軸受部材６が取り付けられており、パレット本体１ａの両幅の長さ方向に渡る金属棒状の回動軸１３がアーム軸受部材６に回動自在に介挿して軸支され、この回動軸１３の左右両端に第１支持アーム９の他端が連結されている。回動軸１３の所定間隔離間された左右位置には、回動片１２の一端が固定され、これら左右の回動片１２の他端にそれぞれダンパー１１の上端部が軸支されるとともに、ダンパー１１の下端部は左右の下段枠材４ｃ間に連結されたダンパー支持材１４に取り付けられ、第１支持アーム９と回動片１２が側面視略垂直の位置関係となっている。ダンパー１１は上下方向に伸長する付勢力が働く油圧式、空圧式またはバネ式のダンパーが用いられている。
【００２２】
支柱５の上部には後述する第１支持アーム９の上方揺動時に回動を規制するアーム受金具５ａが取り付けられている。図１に示されるように、センターバー１０は、パレット本体１ａの両幅の長さ方向に渡る金属棒状の支軸１０ｂに緩衝性の高い保持材１０ａが設けられ、両端部が金属板状の第１支持アーム９の一端と、後述する連結リンク２３の連結位置に回動自在に軸支されている。
【００２３】
図１および図２に示されるように、左右の下段枠材４ｃの後方下部には、アーム軸受部材２１が一対で取り付けられており、これらアーム軸受部材２１に前述した第１支持アーム９と略同型で若干丈の長い第２支持アーム２０の他端が回動自在に軸支されている。上下に位置する第１支持アーム９および第２支持アーム２０の一端には、連結リンク２３が回動自在に連結されている。第２支持アーム２０には一端側に延びる金属棒状の操作ハンドル２２が設けられている。
【００２４】
第２支持アーム２０の他端側と下段枠材４ｃの後方側には、左右に貫通する同型形状のロック孔２４，２５が形成されており、後述において説明する操作ハンドル２２によって、第２支持アーム２０が上方に回動され両ロック孔２４，２５の位置が重なった位置で、パレット本体１ａの後方側枠に鎖で連結されたロックピン２６をロック孔２４に貫通させ、さらにロック孔２５に挿し込むことで、第２支持アーム２０を下段枠材４ｃに回動不能に固定することができる。
【００２５】
複数縦置きで積層したガラス板１７は図３（ａ）（ｂ）に示すように、ケースボックス８内にケースボックス単位で収納されており、本実施例では２つのケースボックスが利用されているが、ケースボックスの数はガラス板の厚みや枚数、大きさに応じて適宜選択すればよい。このケースボックス８を立設させた状態で背面支持材３に傾斜させて載置台２に載置し、さらにケースボックス８を覆うようにガラスカバー体（以下、カバー体）７がケースボックス８の前面，側面および上面を覆うように設けることで、複数のガラス板が間接的にパレット本体１ａに支持されている。
【００２６】
尚、載置台２の上面には緩衝材２ａが施されケースボックス８およびカバー体７の底部が当接されるとともに、背面支持材３の前面にも緩衝材３ａが施されており、ケースボックス８およびカバー体７の背面部が当接され、間接的にガラス板が保護されている。また、これら緩衝材２ａ，３ａはケースボックス８およびカバー体７の滑り止めにもなっている。つまり、緩衝材２ａ，３ａによってケースボックス８を搬送パレット１に載置する作業中や、搬送パレット１の移動時にケースボックス８が移動して内部に収納されたガラス板が損傷することを防止できる。
【００２７】
また、載置台２の下面には、回動ロック機能を備えたキャスタ１８が所定間隔で複数個取り付けられ、パレット本体１ａを自由な方向に移動可能になっているとともに、複数のキャスタ１８によって搬送パレット１が安定的に支持され、ケースボックス８内のガラス板全体に極力振動を与えないようになっている。そして、特に図示しないが所望の位置でキャスタ１８の回動をロックすることで、搬送パレット１の移動が安易に行われない構成になっている。
【００２８】
カバー体７は硬質プラスチック材で形成されており、軽量且つ強固に形成され、カバー体７の前面７ａには半円輪状の持ち上げ部７ｄが所定間隔で複数設けられており、持ち上げ部７ｄを利用してカバー体７の移動操作が行い易くなっている。
【００２９】
次いで、センターバー１０を利用したカバー体７の保持操作について具体的に説明すると、図３（ａ）に示されるように、操作ハンドル２２が把持され上方に向けて持ち上げられると、アーム軸受部材２１に回動自在に支持された第２支持アーム２０の一端側が揺動して連結リンク２３を押し上げるとともに、これに連動して第１支持アーム９の一端が押し上げられ、センターバー１０が背面支持材３の上方に解放される。
【００３０】
このように、操作ハンドル２２の操作によって第２支持アーム２０の一端および連結リンク２３が上方に移動し、第１支持アーム９と連結リンク２３の連結位置に設けられたセンターバー１０が上方に移動していくと、第１支持アーム９が立ってくるので、センターバー１０の重力が掛かった第１支持アーム９を回動するための駆動トルクは次第に軽減し、センターバー１０の解放移動に伴う操作力が楽になる。
【００３１】
このセンターバー１０の解放過程において、第１支持アーム９が立ってくるとダンパー１１の作用によって回動片１２の他端が持ち上げられ、回動軸１３を介して第１支持アーム９が上方に向けて揺動するように助勢されるので、移動操作が軽快となる。そしてセンターバー１０の上死点位置において、第１支持アーム９はアーム受金具５ａと当接し、第１支持アーム９の動きが規制されて、上方やや後傾された状態で位置固定される。このように、第１支持アーム９の回動にダンパー１１を付設したことにより、センターバー１０を解放操作するときは第１支持アーム９がカバー体７の前面側から背面支持材３の上方側に揺動して助勢されるので操作が軽く行える。しかも、左右の第１支持アーム９の他端が回動軸１３に支持されているので、操作ハンドル２２によりセンターバー１０を上下に操作するだけで、センターバー１０をガラスカバー体７の前面側と背面支持材３の上方側との間で容易に且つ均等に揺動移動させることができる。
【００３２】
そして、センターバー１０の上死点位置においては、前述した第２支持アーム２０と下段枠材４ｃのロック孔２４，２５の位置が重なるので、ロックピン２６をロック孔２４，２５に挿し込むことで、第２支持アーム２０の移動が固定されるので、センターバー１０の位置も移動不能に保持される。
【００３３】
したがって、センターバー１０が勝手に背面支持材３に載置されたガラスカバー体７の前面に向けて移動されることが確実に防止され、ガラスカバー体７内部のケースボックス８およびガラス板１７の破損を未然に防止するとともに安全性も高められている。
【００３４】
尚、カバー体７の前面７ａの背面には複数箇所に緩衝材７ｅが設けられ、ガラス板１７が積層収納されたケースボックス８に当接されており、カバー体７の取り付け時や、外部からカバー体７に衝撃が加えられてもカバー体７内のケースボックス８やガラス板１７に対する衝撃を和らげ損傷が防止されている。さらに、図示しないがケースボックス８の内面とガラス板１７の間にも緩衝材が設けられており、ガラス板１７に極力振動を与えることのない構成となっている。
【００３５】
次いで、図３（ｂ）に示されるように、センターバー１０が解放された上死点位置〔図３（ａ）参照〕から、ロックピン２６を抜き取り、操作ハンドル２２を把持して下方に向けて押し下げていくと、第２支持アーム２０の先端側が下方に向けて揺動され、これに連動して第１支持アーム９の一端が連結リンク２３を介して押し下げられ、センターバー１０がカバー体７の前方側に押し下げられていく。すると、第１支持アーム９の揺動に連動して、回動軸１３を介して回動片１２が回動されダンパー１１が圧縮されていく。つまり、ダンパー１１によって背面支持材３の上方側からカバー体７の前面側へ揺動するとき、ダンパー１１に抵抗が与えられることから、センターバー１０をカバー体７の前面７ａ側に向けて押圧するときは勢いよく当接することのない安全な構成になっている。
【００３６】
さらに、操作ハンドル２２の押し下げ操作によってセンターバー１０が押し下げられ、カバー体７の前面に近接させていくと、ダンパー９の上端部がやや斜め後方に傾斜された位置に移動され、回動片１２を上方に押し上げる力が働く。するとカバー体７の前面７ａの中央部近傍にセンターバー１０の保持材１０ａがセンターバー１０をさらに押し下げるように付勢力が与えられるようにして当接し、カバー体７の前面７ａが押圧されるので、カバー体７を介してケースボックス８が背面支持材３に安定して当接保持される。
【００３７】
このように、第１支持アーム９よりも下方に配設された第２支持アーム２０に操作ハンドル２２が設けられたことで、センターバー１０の当接時［図３（ｂ）参照］および解放時［図３（ａ）参照］においても、操作ハンドル２２に手が届きやすく、この操作ハンドル２２が操作されると連結リンク２３を介して第１支持アーム９を連動して揺動させることができることから、センターバー１０の上げ下ろしを容易かつ円滑に行うことができる。また、背面支持材３に積層支持されたガラス板１７がケースボックス８内に収納され、更に、このケースボックス８がカバー体７で覆われているので、ケースボックス８を搬送パレット１から卸したときもケースボックス８をクリーンな状態に保つことができる。
【００３８】
また、センターバー１０がカバー体７の長さ方向に延びて、その中央部近傍で当接しているので、搬送パレット１の移送中であっても、カバー体７を介してケースボックス８の移動を確実に阻止することができ、ガラス板１７の破損を未然に防止することができる。しかも、ケースボックス８の数の増減によりカバー体７の厚みに変更が生じても、第１支持アーム９、または第２支持アーム２０あるいはその両者の揺動半径を変えることで容易に対応できる。
【００３９】
パレット本体１ａへのガラス板１７の載置形態としては、実施例１に限定されるものではなく、変形例として図４（ａ）（ｂ）および図５に示した載置形態もある。図４（ａ）に示すものは、ガラス板を一枚ずつ載置台２に載置させていくタイプであって、操作ハンドル２２の押し下げにより、センターバー１０を最前列のガラス板１７’の中央部１７ａの近傍に直接当接することで、積層されたガラス板１７が支持されている。尚、積層されたガラス板１７がセンターバー１０で直接支持された場合でも、緩衝材３ａ、緩衝材２ａ、保持材１０ａによりガラス板１７の損傷が回避される構成となっている。
【００４０】
このように、センターバー１０を最前列のガラス板１７’の中央部１７ａの近傍に当接することにより、積層支持された各ガラス板１７の中央部１７ａ近傍における撓みをセンターバー１０で抑えることができるので、搬送パレット１の移送中であっても積層支持したガラス板１７の移動を確実に阻止して、ガラス板１７の破損を未然に防止することができる。また、積層支持されたガラス板１７のセンターバー１０による保持状態を解除する際にも、操作ハンドル２２によるセンターバー１０の解放に伴って、第１支持アーム９が立ち上がるので操作力が軽減される。更にガラス板１７の積層枚数が増減しても、第１支持アーム９や第２支持アーム２０の揺動半径を変えることで容易に対応できる。
【００４１】
次いで、図４（ｂ）には、カバー体７をセンターバー１０で保持した載置タイプが示されている。載置台２および背面支持材３には積層されたガラス板１７が直接載置されている。さらに、積層されたガラス板１７の前面，側面および上面がカバー体７で覆われ、最前列のガラス板１７’とカバー体７の間に緩衝材７ｅが設けられている。
【００４２】
そして、操作ハンドル２２の押し下げにより、センターバー１０がカバー体７の前面７ａの中央部近傍に当接され、ガラス板１７が間接的に移動不能に積層支持される。したがって、積層支持されたガラス板１７がカバー体７で覆われているので、ガラス板１７をクリーンな状態に保つことができ、積層支持される各ガラス板１７の中央部近傍における撓みもカバー体７で抑えることができる。
【００４３】
また、センターバー１０がカバー体７の長さ方向に延びて、カバー体７の前面７ａの中央部近傍で当接されることから、搬送パレット１の移送中であってもカバー体７を介して積層支持したガラス板１７の移動が確実に阻止され、破損等の事故が未然に防止される。しかも、カバー体７のセンターバー１０による保持状態を解除する際には、操作ハンドル２２によるセンターバー１０の解放に伴って、第１支持アーム９が立ち上がるので操作力が軽減されて解放操作が楽となる。更にガラス板１７の積層枚数が増減してカバー体７の厚みに変更が生じても、第１支持アーム９や第２支持アーム２０の揺動半径を変えることで容易に対応できる。
【００４４】
つづいて、図５には、ケースボックス８内にガラス板１７を収納してセンターバー１０で保持した載置タイプが示されており、各ケースボックス８が縦置きにして載置台２および背面支持材３に載置されている。そして、操作ハンドル２２の押し下げによって、センターバー１０がケースボックス８の中央部近傍に直接当接され、ケースボックス８内の積層されたガラス板１７が間接的に積層支持される。
【００４５】
このことから、これらケースボックス８を搬送パレット１から卸したときも、ケースボックス８内のガラス板１７をクリーンな状態に保つことができる。尚、ガラス板１７とケースボックス８と当接する部分には図示しない緩衝材が設けられているので、ケースボックス８を搬送パレット１に載置する作業中、および搬送パレットの移動時にガラス板が損傷することを防止できる。
【００４６】
また、センターバー１０がケースボックス８の長さ方向に延びて、その前面中央部近傍で当接しているので、搬送パレット１の移送中であってもケースボックス８の移動が阻止され、ケースボックス８内のガラス板１７の破損等の事故が未然に防止される。しかも、ケースボックス８のセンターバー１０による保持状態を解除する際には、操作ハンドル２２によるセンターバー１０の解放に伴って、第１支持アーム９が立ち上がるので操作力が軽減されて解放操作が楽となる。更にガラス板１７の積層枚数が増減して、ケースボックス８の厚みに変更が生じても、第１支持アーム９や第２支持アーム２０の揺動半径を変えることで容易に対応できる。
【００４７】
以上の説明により実施例１および各変形例では、搬送パレット１に縦置きで複数の積層したガラス板１７を直接載置させた場合や、カバー体７やケースボックス８を介して間接的に載置した場合であっても、これら積層されたガラス板１７の中央近傍に撓みを生じさせることなく、移動においてもガラス板１７同士の滑動を生じさせる虞がない。また、センターバー１０の固定および解放位置のいずれであっても、第１支持アーム９の下方に離間して配設された第２支持アーム２０に操作ハンドル２２が設けられたことで、低位置で手が届きやすいため操作性に優れ、この操作ハンドル２２が操作されると連結リンク２３を介して第１支持アーム２０を連動して揺動させることができるとともに、センターバー１０も第１支持アーム２０と一体で揺動されることから、センターバー１０の上げ下ろしを容易かつ円滑に行うことができる。
【００４８】
特に、センターバー１０を背面支持材３の上方に向けて解放する際には、操作ハンドル２２の操作によって第２支持アーム２０の一端および連結リンク２３が上方に移動されながら、第１支持アーム９と連結リンク２３の連結位置に設けられたセンターバー１０が上方に解放されていくとともに、連結リンク２３に連結された第１支持アーム９の一端も連動して立ち上がり背面支持材３の上方に向けて揺動されていくので、この第１支持アーム９の立ち上がり角度に応じて徐々にセンターバー１０の解放移動に伴う操作力が軽減されていき解放操作が楽となる。
【実施例２】
【００４９】
次に、本発明の実施例２を図６に基づいて説明する。図６は、伸縮自在な支持アームでセンターバーを支持して複数のケースボックスを保持した変形例を示す側面図である。尚、以下の実施例２において前述の実施例１と同様の構造部分に関しては、同一の符号を付すことにより詳細な説明は省略することにする。
【００５０】
図６に示されるように、伸縮自在な第１支持アーム９’でセンターバー１０を支持して複数のケースボックス８を保持した変形例である搬送パレット１’の側面図が示されている。この第１支持アーム９’はパレット本体１ａの上段枠材４ａに設けられたアーム軸受部材６に回動可能に軸支される揺動杆９ｂと、センターバー１０が軸支される伸縮杆９ｃとから構成され、揺動杆９ｂに形成された摺動溝９ａ内に伸縮杆９ｃが前後方向に伸縮自在になっており、第１支持アーム９’の長さが調整可能になっており、適宜ボルト等で伸縮杆９ｃの位置固定を外部から簡便に調整できる。
【００５１】
つまり、積載されるケースボックス８の数量に応じて、第１支持アーム９’の長さを伸縮させて第１支持アーム９’の揺動半径を変えることができるようになっており、図示されるようにケースボックス８が多層に積層されても対応できる構成になっている。また、特に図示しないが、ガラス板をパレット本体１ａに多数載置した場合やガラスカバー体７の厚みに応じて適宜対応可能な第１支持アーム９’となっている。
【００５２】
揺動杆９ｂには、第２支持アーム２０’に回動自在に連結された連結リンク２３’の他端が回動自在に連結されていることから、伸縮自在な第１支持アーム９’が用いられた搬送パレット１’であっても、前述の実施例１と同様に操作ハンドル２２が操作されると第２支持アーム２０および連結リンク２３’を介して第１支持アーム９を連動して揺動させることができるとともに、センターバー１０も第１支持アーム９と一体で揺動されることから、センターバー１０の上げ下ろしを容易かつ円滑に行うことができる。なお、本実施例２において、第１支持アーム９’の長さだけ調整可能である説明をしているが、同様な構成で第２支持アーム２０’も長さ調整可能にして調整範囲の拡大化を図ることができる。
【００５３】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ロック孔２４，２５へのピンロック２６の挿し込みにより、センターバー１０の上死点位置で第２支持アーム２０の位置を簡便に固定できることから好ましいが、本発明はこれに限定されるものではなく、アーム軸受部材２１に設けられた回動支軸にボルトをねじ込み、第２支持アーム２０に当接させて、第２支持アーム２０を揺動不能に固定しても良い。
【００５４】
また、上記実施例では、センターバー１０の保持材１０ａに用いられる緩衝性の高い部材としては、ゴム状の衝撃吸収材や海綿状スポンジ体や発泡スチロール等を利用でき、外部からの衝撃等をガラス板１７に振動させずに保護できる部材であれば、他の部材を利用しても本発明に何ら限定されるものではない。
【００５５】
また、上記実施例では、センターバー１０が第１支持アーム９と連結リンク２３の連結位置に支持するようにして設けられているが、このセンターバー１０の取付位置は連結位置だけに限定するものではなく連結位置近傍であっても良い。
【００５６】
更に、第１及び第２支持アームをパレット本体１ａの左右両側に設けた例で説明したが、第２支持アームは一方側だけに設けるようにしても良い。
【図面の簡単な説明】
【００５７】
【図１】本発明の実施例１におけるガラス板搬送パレットの正面側構造を示す斜視図である。
【図２】ガラス板搬送パレットの背面側構造を示す斜視図である。
【図３】ガラス板搬送パレットの側面構造を示す一部破断側面図で、（ａ）はガラスカバー体で覆われたガラス板が複数収納されたケースボックスをセンターバーから解放した状態を示す側面図であり、（ｂ）は、センターバーを下方に移動させ、ガラスカバー体を介してケースボックスをセンターバーで保持した状態を示す側面図である。
【図４】（ａ）は、ガラス板をセンターバーで直接保持した変形例を示す側面図であり、（ｂ）は、ガラス板１７を覆うカバー体７をセンターバーで保持した変形例を示す側面図である。
【図５】ケースボックス内にガラス板を収納してセンターバーで保持した変形例を示す側面図である。
【図６】本発明の実施例２におけるガラス板搬送パレットであり、伸縮自在な支持アームでセンターバーを支持して複数のケースボックスを保持した変形例を示す側面図である。
【符号の説明】
【００５８】
１，１’          搬送パレット（ガラス板搬送パレット）
１ａ              パレット本体
２                載置台
２ａ              緩衝材
３                背面支持材
３ａ              緩衝材
４                補強材
４ａ              上段枠材
４ｂ              中段枠材
４ｃ              下段枠材
５                支柱
５ａ              アーム受金具
６                アーム軸受部材
７                ガラスカバー体
７ａ              前面
７ｂ              側面
７ｃ              上面
７ｄ              持上げ部
７ｅ              緩衝材
８                ケースボックス
９                第１支持アーム
９’              伸縮自在な第１支持アーム
９ａ              摺動溝
９ｂ              揺動杆
９ｃ              伸縮杆
１０              センターバー
１０ａ            保持材
１０ｂ            支軸
１０ｃ            手掛け部
１１              ダンパー
１２              回動片
１３              回動軸
１４              ダンパー支持材
１５              補強材
１７              積層されたガラス板
１７’            最前列のガラス板
１７ａ            中央部
１７ｂ            底部
１７ｃ            背面部
１８              キャスタ
１９              下部底台
２０、２０’      第２支持アーム
２１              アーム軸受部材
２２              操作ハンドル
２３、２３’      連結リンク
２４、２５        ロック孔（ロック機構の一部）
２６              ロックピン（ロック機構の一部）
【図１】
2007045469.tif 000003
【図２】
2007045469.tif 000004
【図３】
2007045469.tif 000005
【図４】
2007045469.tif 000006
【図５】
2007045469.tif 000007
【図６】
2007045469.tif 000008